(57)【要約】【課題】水中が穏やかな場合や、水中で積極的に牽引しない場合であっても、釣針側に取り付けた餌を、活発に動かすことができ、周囲の魚等を積極的に惹き寄せることができる釣具の提供を目的とする。【解決手段】浮子１３と錘１４とを備えた釣具１０Ａであって、釣竿側に構成した基端部３１と釣針側に構成した後端部３２とを結ぶ仮想直線上から側方へずらした位置に、後端部３２が横方向に揺動するときの揺動支点となる揺動支端部３３を構成し、錘１４を、揺動支端部３３に備え、基端部３１と後端部３２との端部間、後端部３２と揺動支端部３３との端部間、及び、基端部３１と揺動支端部３３との端部間のうち、少なくとも２つの端部間を結ぶ連結杆を備えるとともに、これら連結杆を、基端部３１、後端部、及び、揺動支端部における、それぞれに対応する連結部分に一体結合した。【選択図】図２
2011172557.tif 000002
【特許請求の範囲】
【請求項１】
浮子と錘とを備え、釣竿側に基端部を構成するとともに、釣針側に後端部を構成した釣具であって、
これら基端部と後端部とを結ぶ仮想直線上から側方へずらした位置に、上記後端部が横方向に揺動するときの揺動支点となる揺動支端部を構成し、
上記錘を、上記揺動支端部、又はその近傍に備え、
上記基端部と上記後端部との端部間、上記後端部と上記揺動支端部との端部間、及び、上記基端部と上記揺動支端部との端部間のうち、少なくとも２つの端部間を結ぶ連結杆を備えるとともに、
これら連結杆を、上記基端部、上記後端部、及び、上記揺動支端部における、それぞれに対応する連結部分に一体結合した
釣具。
【請求項２】
上記連結杆を、上記基端部と上記後端部との端部間を結ぶ第１連結杆と、上記基端部と上記揺動支端部との端部間を結ぶ第２連結杆とで構成し、
上記浮子を、上記基端部、又はその近傍に備えた
請求項１に記載の釣具。
【請求項３】
上記第２連結杆を、弾性線材で構成した
請求項２に記載の釣具。
【請求項４】
上記第１連結杆を、釣糸の挿通を許容するパイプで構成した
請求項２、又は３に記載の釣具。
【請求項５】
上記パイプを、該パイプの長さ方向の基端側から後方へ進むに連れ、徐々に上記揺動支端部と離間する側へ湾曲する湾曲形状で形成した
請求項４に記載の釣具。
【請求項６】
上記第１連結杆を、釣糸の挿通を許容するコイルバネで構成した
請求項２、又は３に記載の釣具。
【請求項７】
上記基端部に釣竿側から伸びる釣糸を取り付ける釣糸取付け部を形成し、
上記後端部に釣り針の基部を取り付ける釣り針取付け部を形成し、
上記釣り針取付け部に、釣針の基部を取り付けた
請求項２、又は３に記載の釣具。
【請求項８】
上記基端部を第１基端部と第２基端部とで構成し、
上記第２基端部を、上記第１基端部と上記後端部との２点を通る仮想直線上における上記第１基端部よりも前方側に備え、
上記第１連結杆を、上記第２基端部と上記後端部との端部間を結ぶ連結杆で構成し、
上記第２連結杆を、上記第１基端部と上記揺動支端部との端部間を結ぶ連結杆で構成し、
上記第１基端部を、上記第１連結杆の長さ方向に沿ってスライド自在に、且つ、上記第１連結杆の軸周りに回転自在に構成し、
上記浮子を、上記第１基端部、又はその近傍に備えるとともに、上記第１基端部とともに上記第１連結杆の長さ方向に沿ってスライド自在に、且つ、上記第１連結杆の軸周りに回転自在に構成した
請求項２、３、又は７に記載の釣具。
【請求項９】
上記基端部に、上記第１連結杆に対して上記第２連結杆を分離可能に結合する結合手段を備えた
請求項２から８のいずれかに記載の釣具。
【請求項１０】
上記浮子、又はその近傍に抵抗体を備えた
請求項１から９のいずれかに記載の釣具。
【請求項１１】
上記錘、又はその近傍に抵抗体を備えた
請求項１から１０のいずれかに記載の釣具。
【請求項１２】
上記連結杆は、上記基端部と上記揺動支端部との端部間、及び、上記後端部と上記揺動支端部との端部間に備え、
上記基端部と上記後端部との端部間において、釣竿側から伸びる上記釣糸と、釣針側へ伸びる上記釣糸とをスイベルを介して連結した
請求項１に記載の釣具。
【発明の詳細な説明】
【技術分野】
【０００１】
この発明は、水中を移動させたり、水底に着地させたりした際に、釣りの対象となる魚介類を惹き寄せる動きを示すことができる釣具に関する。
【背景技術】
【０００２】
釣具の中でも釣り用仕掛け具やルアーには、水中に投入後において例えば、根掛かり防止や魚に餌が目に付き易くすることができたり、根がかりを防止することができるなどの効果を発揮できるのに加え、遠投時に仕掛けが絡まないという天秤としての機能を備えたものも提案されている。
【０００３】
特許文献１に開示の「天秤付き不倒浮き」もこのような釣具の１つである。  
上記天秤付き不倒浮きは、天秤の一端にプラスチック製などの浮きを設け、その上端の桿に、より戻し桿を連結し、餌が付けられる釣針側へと伸びる下糸を結着した構成である。
【０００４】
特許文献１によれば、「天秤付き不倒浮き」は、海底に投入後に浮きが常時、直立状態となり、水流を受けることで、浮きに結着した下糸の先端側の釣針に取り付けた餌が動く状態となり、魚の目に付き易くなるという旨の記載がされている。
【０００５】
しかし、「天秤付き不倒浮き」は、水流に従って動く浮きの動きを、下糸を介して釣針側へ伝えることしかできないため、餌は、水中で漂った状態で動く程度であり、周囲の魚を積極的に惹き寄せるという効果は期待できないという難点を有する。
【先行技術文献】
【特許文献】
【０００６】
【特許文献１】実開昭５４−１８３４８７号公報
【発明の概要】
【発明が解決しようとする課題】
【０００７】
そこでこの発明は、水中にうねりなどの流れが殆どない穏やかな場合や、水中で積極的に牽引しない場合であっても、釣針側に取り付けた餌を、活発に動かすことができ、周囲の魚等を積極的に惹き寄せることができる釣具の提供を目的とする。
【課題を解決するための手段】
【０００８】
本発明は、浮子と錘とを備え、釣竿側に基端部を構成するとともに、釣針側に後端部を構成した釣具であって、これら基端部と後端部とを結ぶ仮想直線上から側方へずらした位置に、上記後端部が横方向に揺動するときの揺動支点となる揺動支端部を構成し、上記錘を、上記揺動支端部、又はその近傍に備え、上記基端部と上記後端部との端部間、上記後端部と上記揺動支端部との端部間、及び、上記基端部と上記揺動支端部との端部間のうち、少なくとも２つの端部間を結ぶ連結杆を備えるとともに、これら連結杆を、上記基端部、上記後端部、及び、上記揺動支端部における、それぞれに対応する連結部分に一体結合したことを特徴とする。
【０００９】
上記構成によれば、釣具は、上記連結杆により、上記基端部、上記後端部、及び、上記揺動支端部の相対位置関係を略一定に保つことができ、また、上記浮子を備えるとともに、上記錘を、上記揺動支端部またはその近傍に備えた構成であるため、水中において上記揺動支端部が下方に位置する起立姿勢（直立姿勢）に保つことができる。
【００１０】
さらにまた、浮子は、水中において抵抗体として水のうねり等の水流の影響を受け易く、また、水中を這わせたときに水圧（抵抗）を受け易く軽量であるため、抵抗体として揺動する。
【００１１】
よって、釣具は、水中において上記揺動支端部が下方に位置する起立姿勢（直立姿勢）を保つことができるため、水中で牽引することで、浮子や後端部を、水の抵抗を受けて揺動支端部を支点として揺動するに揺動させることができる。  
従って、ルアーは、活発に遊泳する動作を実現することができ、周囲の魚等を積極的に惹き寄せることができる。
【００１２】
また、上記釣具は、上記錘を、基端部と後端部とを結ぶ仮想直線上から側方へずらした位置に構成した揺動支端部、又はその近傍に備えているため、遠投時に仕掛けが絡み難く、主に投げ釣りで使われる天秤としても用いることができる。
【００１３】
上記浮子は、水の抵抗を受ける抵抗体としての機能を有しているものであれば特に限定しないが、釣具には、浮子とは別途、水の抵抗を受ける抵抗体を備えた構成であってもよい。該抵抗体は、例えば、ブレードなどで形成することができ、その形状、材質などは限定しない。また、浮子自体をルアー本体として用いてもよい。
【００１４】
錘は、真鍮、ステンレス、銅、チタン、鉛などの材質で形成することができるが、その材質は限定しない。
【００１５】
釣針は、針先が１つのシングルフックに限らず、針先が２つに分岐したダブルフック、或いは、３つの分岐したトリプルフックなどでもよく、特に限定しない。
【００１６】
釣針側に餌を備える場合、餌の種類は特に限定しないが、疑似餌（ルアー）を備えてもよい。
【００１７】
なお、本発明の釣具で釣り上げる獲物の対象は、魚類に限らず、蛸やイカなどの頭足類、エビやカニなどの甲殻類などといった魚介類、さらには、水棲生物であれば特に限定しない。
【００１８】
この発明の態様として、上記連結杆を、上記基端部と上記後端部との端部間を結ぶ第１連結杆と、上記基端部と上記揺動支端部との端部間を結ぶ第２連結杆とで構成し、上記浮子を、上記基端部、又はその近傍に備えることができる。
【００１９】
よって、釣具は、上述した起立姿勢で基端部、すなわち、該基端部またはその近傍に備えた浮子が水の抵抗を受けて揺動し、その揺動を、第１連結杆を介して大きな揺動幅となってダイレクトに浮子や後端部に伝えることができ、これら浮子や後端部を、揺動支端部を支点として大きく横方向に揺動させることができる。  
従って、釣具は、上述したように基端部が僅かに揺動しただけで、その揺動幅を後端部で増幅させることができるため、例えば、水中にうねりなどの流れが殆どない穏やかな場合や、釣具を水中で積極的に牽引しない場合であっても、僅かな水圧を受けて揺動し、活発に遊泳する魚等が遊泳しているような動作を実現することができ、周囲の魚等を積極的に惹き寄せることができる。
【００２０】
またこの発明の態様として、上記第２連結杆を、弾性線材で構成することができる。
【００２１】
上記構成により、上記揺動支端部を支点として後端部が揺動する際、その揺動に伴って弾性線材で構成した上記第２連結杆が弾性変形するため、後端部の揺動幅を、より大きくすることができるとともに、弾性変形した上記第２連結杆の弾性力（復元力）を利用して、後端部を、より積極的に揺動することができる。
【００２２】
さらにまた、釣具を水底に這わせた場合、該釣具の下部に位置する上記揺動支端部は、水底に接触することにより水底から外力を受け、それに伴って上記第２連結杆が弾性変形するため、上記後端部は、上下にも揺動する。
【００２３】
よって、上記後端部は、上述した横方向の揺動と上下の揺動とが組み合わさった複合的な動きで動作し、この動作を浮子や後端部へと伝えることができる。
【００２４】
またこの発明の態様として、上記第１連結杆を、釣糸の挿通を許容するパイプで構成することができる。
【００２５】
このように上記基端部と上記後端部との間をパイプで連結することにより、基端部で発生した揺動を、パイプを介して後端側に揺動幅をもたせてダイレクトに伝えることができるため、後端側を、揺動支端部を支点として積極的に横方向に揺動させることができる。
【００２６】
さらに、上記基端部と上記後端部との間に配する釣糸をパイプに挿通した状態で配することにより、後端部が揺動する際に、上記基端部と上記後端部との間に配した釣糸が不測に変形して互いに絡まりあうおそれもなく、釣糸をパイプに沿った形状に保つことができるとともに、後端部の揺動を、該後端部から伸びる釣糸の釣針側へ確実に伝えることができる。
【００２７】
さらに、上記基端部と上記後端部との端部間においてパイプ内に挿通された釣糸は、パイプ内においてそのパイプの軸方向においてスライド自在であるため、餌に食いついた魚等の引き（あたり）をダイレクトに釣竿側へ伝えることができる。
【００２８】
またこの発明の態様として、上記パイプを、該パイプの長さ方向の基端側から後方へ進むに連れ、徐々に上記揺動支端部と離間する側へ湾曲する湾曲形状で形成することができる。
【００２９】
このように上記パイプを、上述した湾曲形状で形成することにより、上記後端部と上記揺動支端部との間隔を広く確保することができる。これにより、後端部を、揺動支端部を支点としてより大きな振幅で揺動させることができるため、釣針側に備えた餌がより活発に遊泳している動きを実現することができる。
【００３０】
またこの発明の態様として、上記第１連結杆を、釣糸の挿通を許容するコイルバネで構成することができる。
【００３１】
このように上記連結杆をコイルバネで構成することにより、上記連結杆をパイプで形成した場合に奏する上述した効果に加え、螺旋状に巻かれた線材からなる有端形状であるというコイルバネの構成を活かして、釣り糸を中途で切断することなく、釣り糸に対して、錘を備えた釣具を容易に着脱することができる。
【００３２】
またこの発明の態様として、上記基端部に釣竿側から伸びる釣糸を取り付ける釣糸取付け部を形成し、上記後端部に釣り針の基部を取り付ける釣り針取付け部を形成し、上記釣り針取付け部に、針の基部を取り付けることができる。
【００３３】
このように、釣糸取付け部に道糸を取り付け、釣り針取付け部に釣針を取り付けた構成とした場合、上記揺動支端部を支点として浮子自体がルアー本体のように、魚等が活発に遊泳しているように積極的に揺動し、周囲の魚等を積極的に惹き寄せることができる。すなわち、釣り具をルアーとして用いることができる。
【００３４】
またこの発明の態様として、上記基端部を第１基端部と第２基端部とで構成し、上記第２基端部を、上記第１基端部と上記後端部との２点を通る仮想直線上における上記第１基端部よりも前方側に備え、上記第１連結杆を、上記第２基端部と上記後端部との端部間を結ぶ連結杆で構成し、上記第２連結杆を、上記第１基端部と上記揺動支端部との端部間を結ぶ連結杆で構成し、上記第１基端部を、上記第１連結杆の長さ方向に沿ってスライド自在に、且つ、上記第１連結杆の軸周りに回転自在に構成し、上記浮子を、上記第１基端部、又はその近傍に備えることができる。
【００３５】
上記構成により、道糸を引っ張ったり、水流を受けるなどにより、上記浮子は、上記第１連結杆の長さ方向に沿ってスライドしたり、上記第１連結杆の軸周りに回転したりする。これにより、浮子は、揺動の幅や周期が複雑に変動するため、例えば、小魚餌が活発に遊泳しているようなより巧妙な動きとなり、周囲の魚等を積極的に惹き寄せることができる。
【００３６】
またこの発明の態様として、上記基端部に、上記第１連結杆に対して上記第２連結杆を分離可能に結合する結合手段を備えることができる。
【００３７】
上記構成により、これら２本の連結杆を互いに分離することで全体として嵩張らず、扱い易くなる。さらに、糸を切断したりせずに、錘などの部品を容易に交換することができる。
【００３８】
またこの発明の態様として、上記浮子、又はその近傍に抵抗体を備えることができる。
【００３９】
上述したように、抵抗体を浮子に備えることで、釣り具を牽引中に抵抗体が水の抵抗を受けたとき、主に、浮子が左右に揺動する動きを示すバイブレーション効果（ウォブリング効果）を得ることができる。
【００４０】
このバイブレーション効果により、餌となる小魚等が活発に遊泳している動きを醸し出すことができ、周囲の魚等を積極的に惹き寄せることができる。
【００４１】
なお、抵抗体は、上記浮子の一部として該浮子と一体に構成してもよい。例えば、上記浮子は、浮子本体と該浮子本体から外側へ張り出した抵抗突片とで形成することができる。
【００４２】
抵抗体は、金属、木材など材質について限定しないが、樹脂製であることが好ましく、また、形状も限定しないが、抵抗（水圧）を受け易く、嵩張らないという観点から板状であることが好ましい。
【００４３】
またこの発明の態様として、上記錘、又はその近傍に抵抗体を備えることができる。
【００４４】
上記構成により、抵抗体は僅かな水圧を受けても揺動するため、上記揺動支端部、又はその近傍に備えた上記錘は、積極的に揺動する。
【００４５】
特に、抵抗体を、上記錘、又はその近傍に備えることにより、上記揺動支端部での揺動は、連結杆を介して後端部に伝わるため、後端部では上記揺動支端部を支点として大きく揺動する特性を示すローリング効果を得ることができる。
【００４６】
抵抗体を錘の近傍に備えることで、ルアーとしての釣り具を牽引中に抵抗体が抵抗を受けたとき、主に、正面視した状態において揺動支端部に対して浮子が左右にローリングしながら揺動する動きを示すローリング効果を得ることができる。
【００４７】
このローリング効果により、餌となる小魚等が活発に遊泳している動きを醸し出すことができ、周囲の魚等を積極的に惹き寄せることができる。
【００４８】
なお、抵抗体は、上記浮子の側、或いは、上記錘の側の双方に備えてもよい。
【００４９】
またこの発明の態様として、上記連結杆は、上記基端部と上記揺動支端部との端部間、及び、上記後端部と上記揺動支端部との端部間に備え、上記基端部と上記後端部との端部間において、釣竿側から伸びる上記釣糸と、釣針側へ伸びる上記釣糸とをスイベルを介して連結することができる。
【００５０】
この構成によれば、上記基端部と上記後端部との端部間には、上記連結杆を備えずに、釣糸のみを配することが可能となるため、釣針側から伸びる釣糸の釣針側で食い付いた引き（あたり）を基端部から伸びる釣糸の釣竿側へダイレクトに伝えることができる。
【発明の効果】
【００５１】
この発明によれば、水中にうねりなどの流れが殆どない穏やかな場合や、水中で積極的に牽引しない場合であっても、釣針側に取り付けた餌を、活発に動かすことができ、周囲の魚等を積極的に惹き寄せることができる釣具の提供を目的とする。
【図面の簡単な説明】
【００５２】
【図１】第１Ａ実施形態の釣り用仕掛け具の構成説明図。
【図２】第１Ａ実施形態の釣り用仕掛け具の使用状態を示す説明図。
【図３】第１Ａ実施形態の釣り用仕掛け具の作用説明図。
【図４】第１Ａ実施形態の釣り用仕掛け具の作用説明図。
【図５】第１Ａ実施形態の釣り用仕掛け具の作用説明図。
【図６】第１Ａ実施形態の釣り用仕掛け具の作用説明図。
【図７】第２Ａ実施形態の釣り用仕掛け具の構成説明図。
【図８】第２Ａ実施形態の釣り用仕掛け具の作用説明図。
【図９】第３Ａ実施形態の釣り用仕掛け具の構成説明図。
【図１０】第４Ａ実施形態の釣り用仕掛け具の構成説明図。
【図１１】第１Ｂ実施形態のルアーの構成説明図。
【図１２】第１Ｂ実施形態のルアーの作用説明図。
【図１３】第２Ｂ実施形態のルアーの構成説明図。
【図１４】第２Ｂ実施形態のルアーの作用説明図。
【図１５】第３Ｂ実施形態又はこれに付随する形態のルアーの構成説明図。
【図１６】第４Ｂ実施形態又はこれに付随する形態のルアーの構成説明図。
【発明を実施するための形態】
【００５３】
この発明の一実施形態を、以下図面を用いて説明する。  
以下では、本実施形態の釣り具として、第１Ａ〜第４Ａ実施形態の釣り用仕掛け具１０Ａ，２０Ａ，３０Ａ，４０Ａについて説明するとともに、第１Ｂ〜第４Ｂ実施形態のルアー１０Ｂ，２０Ｂ，３０Ｂ，４０Ｂについて説明する。
【００５４】
（第１Ａ実施形態）  
第１Ａ実施形態における釣り用仕掛け具１０Ａは、釣具用天秤としての機能も兼ね備え、図１（ａ）〜（ｄ）に示すように、主杆パイプ１１、弾性線材１２、浮子１３、錘１４、及び、２つのゴムチューブ１５，１６で構成している。  
なお、図１（ａ）〜（ｄ）は、釣り用仕掛け具１０Ａのそれぞれ右面図（ａ）、正面図（ｂ）、平面図（ｃ）、底面図（ｄ）を示している。
【００５５】
さらに、釣り用仕掛け具１０Ａは、水中において、図１、及び、図２に示すような起立姿勢を基本姿勢として保つことができ、このような起立姿勢において前方上端部に位置する基端部３１と、後端に位置する後端部３２と、後述するが後端部３２の揺動支点となる揺動支端部３３との３点を構成している。
【００５６】
主杆パイプ１１は、ステンレス製であり、図１（ａ）中の領域Ｘ、Ｙ、Ｘの各拡大断面図に示すように、内部に釣糸２１の挿通が許容される細長い円筒状で形成し、その長さ方向の両端部には、それぞれ短尺状のゴムチューブ１５，１６を備えている。該ゴムチューブ１５，１６は、その内部に主杆パイプ１１の端部を差し込むことで、該主杆パイプ１１に対して一体に取り付けられている。
【００５７】
主杆パイプ１１は、基端部３１と後端部３２との間に配され、その長さ方向の基端部３１側から後端部３２側へ進むに連れ、仮想直線ラインＬ（図１（ａ）中の仮想線参照）に対して徐々に上記揺動支端部３３と離間する側、すなわち上方へ湾曲する湾曲形状で形成している。
【００５８】
弾性線材１２は、主杆パイプ１１よりも細い可撓性に優れた線材で形成し、その長さ方向の一端部を、基端部３１において主杆パイプ１１に巻き付けているとともに、該巻き付け部分ごと基端部３１に装着したゴムチューブ１５に差し込んでいる（図１（ａ）中の領域Ｘの拡大断面図参照）。
【００５９】
これにより、弾性線材１２は、主杆パイプ１１に対してその軸回り及び軸方向に動くことがなく、且つ、基端部３１における弾性線材１２と主杆パイプ１１との成す角（図１（ａ）中のθ参照）が大よそ４０度から６０度になるよう、互いに一体に結合されている。  
弾性線材１２の下端には、上記揺動支端部３３を構成している。
【００６０】
また、浮子１３は、樹脂製であり、その長軸方向の中間部分に対して両端側へ進むに連れ、先細りとなる卵形（断面楕円形状）に形成し、その長軸が主杆パイプ１１の長さ方向と一致する方向で基端部３１近傍において主杆パイプ１１に固着している。
【００６１】
錘１４は、浮子１３よりも細くて長い卵形に形成し、その長軸が弾性線材１２の長さ方向と一致する方向で揺動支端部３３において弾性線材１２に固着している。
【００６２】
上記構成の釣り用仕掛け具１０Ａは、図２に示すように、主杆パイプ１１に道糸２１ａの先端側を挿入した状態で取り付けられている。なお、釣竿側から伸びる道糸２１ａの先端は、スイベル２２（ヨリモドシ、サルカン）を介してハリス２１ｂ（鉤素）と連結しており、ハリス２１ｂの先端側には、例えば、疑似餌２４を取り付けた仕掛けを構成している。
【００６３】
疑似餌２４は、魚形をしたボディ２５とフック２６とで構成した公知のものを用いているが、ハリス２１ｂの先端側には、このような疑似餌２４に限らず、適宜、釣針を取り付けた仕掛けであってもよい（図示せず）。
【００６４】
上記構成によれば、釣り用仕掛け具１０Ａは、基端部３１において主杆パイプ１１に対して弾性線材１２を一体に結合しているため、基端部３１、後端部３２、及び、揺動支端部３３の相対位置関係を保つことができる。
【００６５】
そして、上記浮子１３を、上記基端部３１近傍に備えるとともに、上記錘１４を、上記揺動支端部３３に備えた構成であるため、釣り用仕掛け具１０Ａは、水中において揺動支端部３３に有する錘１４に作用する重力と、基端部３１近傍に有した浮子１３に作用する浮力とで、上述した起立姿勢に保つことができる。
【００６６】
なお、釣り用仕掛け具１０Ａが上記起立姿勢のとき、主杆パイプ１１は、後端側が水平面（水底）に対して目安として斜め４０度から６０度程度下方へ傾斜した姿勢となる（図２参照）。
【００６７】
上述した釣り用仕掛け具１０Ａは、投げ釣りで用いたとき、釣糸２１の絡みを防ぐことができるという一般の釣り用仕掛け具が奏する効果に加え、以下の作用、効果を奏することができる。  
釣り用仕掛け具１０Ａに備えた浮子１３は、水中において水のうねりや、水中を這わせたときに水からの水圧を受け易い抵抗体として作用し、しかも軽量であるため、水流による抵抗を受けると揺動し易い部材である。
【００６８】
この浮子１３が揺動すると、該浮子１３が装着される主杆パイプ１１も一体に揺動することになる。  
このとき、主杆パイプ１１の基端部３１側は、錘１４を備えた揺動支端部３３と弾性線材１２を介して連結されているため、積極的な揺動が抑制される。
【００６９】
一方、図３に示すように、棒状の主杆パイプ１１の後端部３２側は、浮子１３が揺動すると、揺動支端部３３を支点として横方向に大きな揺動幅で揺動することになる。
【００７０】
従って、図４（ａ）に示すように、後端部３２から先端側に伸びる釣糸２１に取り付けられた疑似餌２４は、水中での水の流れにあわせて単に漂った状態で動く動作とは全く異なり、活発に遊泳する動作を実現することができるため、周囲の魚等を積極的に惹き寄せることができる。
【００７１】
さらに、釣り用仕掛け具１０Ａを水底に這わせたとき、該釣り用仕掛け具１０Ａの下部に位置する上記揺動支端部３３が、水底に接触しながら進行することにより、図４（ｂ）に示すように、水底から外力を受けて弾性線材が弾性変形するため、上記後端部３２を、上下にも揺動させることができる。
【００７２】
加えて、後端部３２が上述しように揺動支端部３３を支点として揺動する際には、図５（ｂ）に示すように、その揺動に伴って弾性線材１２が弾性変形するため、後端部３２を、より大きな揺動幅でより積極的に揺動させることができる。
【００７３】
よって、上記後端部３２は、上述した横方向の揺動と上下の揺動とが組み合わさった複雑な動きで揺動し、このような複雑な動作を後端部３２から伸びる釣糸２１に取り付けた疑似餌２４へと伝えることができる。
【００７４】
さらに、釣り用仕掛け具１０Ａは、例えば、図５（ａ１）に示すように、水中にうねりなどの流れを受けて、或いは、図５（ａ２）に示すように、釣り用仕掛け具１０Ａを水底に沿って這わるなどすることで、上述したように、基端部３１近傍で発生した浮子１３の揺動を主杆パイプ１１を介して後端側に揺動幅をもたせてダイレクトに伝えることができる。よって、釣り用仕掛け具１０Ａは、活発に遊泳しているように疑似餌２４を積極的に揺動させることができ、周囲の魚等を積極的に惹き寄せることができる。
【００７５】
また、上記基端部３１と上記後端部３２との間に配する釣糸２１（道糸２１ａ）を主杆パイプ１１に挿通した状態で配することにより、後端部３２が揺動するに伴って、上記基端部３１と上記後端部３２との間に配した釣糸２１が不測に変形して互いに絡まりあうおそれもなく、釣糸２１を主杆パイプ１１に沿った形状に保つことができるとともに、後端部３２の揺動を、該後端部３２から伸びる釣糸２１のルアーの魚形ボディ２５に確実に伝えることができる。
【００７６】
さらに、上記基端部３１と上記後端部３２との各端部間において主杆パイプ１１内に挿通された釣糸２１は、その軸方向においてスライド自在であるため、疑似餌２４のフック２６に係合した魚等の引き（あたり）をダイレクトに釣竿側へ伝えることができる。
【００７７】
また、主杆パイプ１１は、該主杆パイプ１１の長さ方向の基端側から後方へ進むに連れ、徐々に上記揺動支端部３３と離間する側へ湾曲する湾曲形状で形成しているため（図１（ａ）参照）、上記後端部３２と上記揺動支端部３３との間を広い間隔に確保することができる。
【００７８】
このように、後端部３２と、該後端部３２の揺動支点となる揺動支端部３３との距離Ｓ（図１（ｂ）参照）が長くなることにより、後端部３２を、揺動支端部３３を支点として大きく横方向に振ることが可能となり、大きな揺動幅で揺動させることができる。よって、後端部３２から伸びる釣糸２１に取り付けた疑似餌２４がより活発に遊泳する動きを実現することができる。
【００７９】
詳しくは、主杆パイプ１１を、直線状に形成する場合（図１（ａ）中の仮想直線Ｌ参照）と異なり、上述した湾曲形状で形成することにより、上記後端部３２と上記揺動支端部３３との間隔（図１（ｂ）中のＳ参照）を広く確保することができるとともに、この間の間隔を広く確保しても、主杆パイプ１１と弾性線材１２とのなす角が約４０度から６０度という角度（θ）に留めておくことができる。  
主杆パイプ１１と弾性線材１２とのなす角がこの程度の大きさであれば、主杆パイプ１１が基端部３１における突出方向を前方斜め上方に保つことができる。
【００８０】
仮に、主杆パイプ１１を直線状で形成したまま、上記後端部３２と上記揺動支端部３３との間隔を広く確保しようとした場合、主杆パイプ１１と弾性線材１２とのなす角（θ）を大きく形成しなければならないことになる。
【００８１】
そして、このように主杆パイプ１１と弾性線材１２とのなす角（θ）が大きくなるに伴って、直線状の主杆パイプ１１の基端部３１側は、斜め上方へ向けて突出した姿勢を保つことができず、水平面（水底）に対する前方への突き出し方向が下がることになる。
【００８２】
この構成の場合、釣竿側から主杆パイプ１１内に挿通される釣糸２１は、基端部３１において主杆パイプ１１に引っ掛かることになり、釣糸２１が主杆パイプ１１の基端部３１との摩擦抵抗により不測に切れることや、餌に食いついた魚等の引き（あたり）を釣竿側へ伝える上での障害となるといった難点が生じる。
【００８３】
これに対して、上記主杆パイプ１１を、上述した湾曲形状で形成することにより、主杆パイプ１１と弾性線材１２とのなす角が小さい状態を保ちつつ、上記後端部３２と上記揺動支端部３３との間隔を広く確保することができるため、釣糸２１に負担をかけたり、魚等の引き具体に悪影響を及ぼしたりせずに、疑似餌２４がより活発に遊泳している動きを実現することができる。
【００８４】
また、釣り用仕掛け具１０Ａは、投げ釣り用天秤として用いたとき、従来の天秤と比較して海底をより長い距離を這わすことができるため、魚等を釣り上げることができる可能性を高めることができる。  
詳しくは、図６（ａ）に示すように、従来の釣り用仕掛け具としての釣具用天秤１００は、遠方へ投げた後、着水すると錘の重力により水中を沈んでいき、その時点では、投げたときの勢いは既に消滅しているため、着水地点よりも手前側の水底に接地することが多い。この場合、着水地点から海底へ接地した距離Ｓ１の分、投げた地点まで釣具用天秤１００を、海底に這わす距離が短くなり、魚などを釣り上げる機会を逸してしまうことになる。
【００８５】
これに対して、釣り用仕掛け具１０Ａは、図６（ｂ）に示すように、遠方へ投げた後、着水すると錘１４の重力により水中を沈んでいくが、その間も、釣り用仕掛け具１０Ａは、主杆パイプ１１と弾性線材１２とで基端部３１、後端部３２、及び、揺動支端部３３の３点の相対位置関係が保たれ、浮子１３を上記基端部３１近傍に備えるとともに、錘１４を揺動支端部３３に備えた構成であるため、上記起立姿勢を保つことができる。
【００８６】
すなわち、図６（ａ）中の釣り用仕掛け具１０Ａに示すように、釣り用仕掛け具１０Ａは、浮子１３が上方に位置し、錘１４が下方に位置するが、さらに、浮子１３が釣竿側、錘１４が先端側となる位置関係で、それぞれ卵型をした浮子１３、錘１４が、沈むときに水の抵抗を受け易い略倒伏した姿勢となる。
【００８７】
よって、海中を沈んでいく際には、釣り用仕掛け具１０Ａは、このような起立姿勢で海中を沈んでいくため、浮子１３や錘１４が水の抵抗を受けて（図６（ｂ）中の矢印Ｒ参照）、より遠方側へ進みながら沈もうとする力が作用することになる（図６（ｂ）中の矢印Ｄ参照）。
【００８８】
従って、着水時点と同じ、或いは、それよりも遠方の水底に接地することができ、従来の釣具用天秤１００が水底を這わすことができる距離Ｓ２よりも長い距離Ｓ３で水底を這わすことができるため、魚などをより多く釣り上げる機会を得ることができる。
【００８９】
また、釣り用仕掛け具１０Ａは、海底を這わして用いるに限らず、例えば、中深層などそれ以外の深さで進行させて用いてもよい。この場合も、釣り用仕掛け具１０Ａは、主杆パイプ１１と弾性線材１２とで基端部３１、後端部３２、及び、揺動支端部３３の３点の相対位置関係が保たれ、浮子１３を基端部３１近傍に備えるとともに、錘１４を上記揺動支端部３３に備えた構成であるため、上記起立姿勢を保った状態で水中を進行させることができる。
【００９０】
以下では、他の実施形態における釣り用仕掛け具２０Ａ，３０Ａ，４０Ａについて説明する。  
但し、以下で説明する釣り用仕掛け具２０Ａ，３０Ａ，４０Ａの構成のうち、上述した第１Ａ実施形態における釣り用仕掛け具１０Ａと同様の構成については、同一の符号を付して、その説明を省略する。
【００９１】
（第２Ａ実施形態）  
第２Ａ実施形態における釣り用仕掛け具２０Ａは、図７（ａ），（ｂ），（ｃ）に示すように、基端部３１と後端部３２との間に主杆パイプ１１の代わりにコイルバネ４１を配した構成である。  
なお、図７（ｂ），（ｃ）は、図７（ａ）中のそれぞれＡ−Ａ線断面図、Ｂ−Ｂ線断面図である。
【００９２】
上記コイルバネ４１は、バネ鋼からなるバネ用線材４２を螺旋状に構成した一般的なコイルバネであり（図７（ａ）中の領域Ｘの拡大断面図参照）、釣糸２１の挿通を許容する貫通孔を有し、主杆パイプ１１と略同じ長さで形成している。
【００９３】
浮子１３Ｂは、コイルバネ４１の基端部３１近傍に備えているが、コイルバネ４１に対して着脱可能に形成している。  
詳しくは、図７（ｂ）に示すように、浮子１３Ｂは、その中心部分に長軸方向に沿ってコイルバネ４１を貫通する径を有したバネ貫通孔４３Ａを形成している。さらに浮子１３Ｂには、周方向の所定の一部分を外側からバネ貫通孔４３Ａまで長軸方向に沿って切り欠いた嵌込み溝４４Ａが形成され、該嵌込み溝４４Ａは、コイルバネ４１をバネ貫通孔４３Ａに対して側方から差し込み自在とする幅を有して形成している。
【００９４】
さらにまた、弾性線材１２におけるコイルバネ４１との結合部分には、弾性線材１２をコイルバネ４１に対して分離可能に結合するアダプタ部４５を備えている。
【００９５】
アダプタ部４５は、樹脂製であり、浮子１３Ｂと同様にコイルバネ４１に対する嵌め込み構造を有して弾性線材１２の基端部３１側に一体に固着している。  
詳しくは、図７（ｃ）に示すように、アダプタ部４５は、その中心部分に長軸方向に沿ってコイルバネ４１を貫通する径を有したバネ貫通孔４３Ｂを形成している。さらにアダプタ部４５には、周方向の所定の一部分を外側からバネ貫通孔４３Ｂまで長軸方向に沿って切り欠いた嵌込み溝４４Ｂが形成され、該嵌込み溝４４Ｂは、コイルバネ４１をバネ貫通孔４３Ｂに対して側方から差し込み自在とする幅を有して形成している。
【００９６】
上記構成の釣り用仕掛け具２０Ａは、基端部３１と後端部３２との間にコイルバネ４１を配した構成であるため、このコイルバネ４１の螺旋状に巻かれたバネ用線材４２からなる有端形状であるという構成を活かして、釣糸２１を中途で切断することなく、釣糸２１に対して釣り用仕掛け具２０Ａを容易に着脱することができる。
【００９７】
詳しくは、例えば、基端部３１と後端部３２との間に主杆パイプ１１を配し、その内部に釣糸２１を挿通する仕掛けの場合、釣り用仕掛け具２０Ａを交換しようとすると、スイベル２２などの仕掛けが釣り用仕掛け具２０Ａの先端側で釣糸２１に接続されているため（図２参照）、これら仕掛けが釣糸２１を主杆パイプ１１から抜く取る際に干渉し、釣糸２１を抜くことができなかった。
【００９８】
このため、釣糸２１を中途部分で切断するなどして、釣り用仕掛け具２０Ａ自体を交換し、釣糸２１を結び直す必要があり、釣りの最中において錘１４等を交換することは、釣り人にとって非常に大きな負担となるおそれがあった。
【００９９】
そこで、以下の手順により釣り用仕掛け具２０Ａを、コイルバネ４１に挿通された状態の釣糸２１に対して容易に分離することができる。
【０１００】
まず、コイルバネ４１に対して浮子１３Ｂ、及び、アダプタ部４５のそれぞれの嵌込み溝４４Ａ，４４Ｂを通じて取り外した状態としておく。
【０１０１】
そして、図８（ａ）に示すように、コイルバネ４１に挿通された状態の釣糸２１の中途部分を、コイルバネ４１を構成する螺旋状に巻いたバネ用線材４２の一端部４１ａに係合する。その状態で、図８（ｂ）に示すように、コイルバネ４１を、その軸回りに、釣糸２１のバネ用線材４２に対する係合部分がバネ用線材４２の一端部４１ａから抜けない方向に回転させる。
【０１０２】
これにより、図８（ｃ），（ｄ）に示すように、釣糸２１の係合部分がコイルバネ４１の軸方向にスライドし、やがて他端部４１ｂから抜くことができる。
【０１０３】
上述した手順により、釣糸２１の中途部分を切断せずとも釣り用仕掛け具２０Ａを、該釣り用仕掛け具２０Ａのコイルバネ４１に挿通された状態の釣糸２１に対して分離することができる。
【０１０４】
逆に、該釣り用仕掛け具２０Ａを、釣糸２１がコイルバネ４１と分離した状態から挿通された状態とするには、上述した手順と逆の手順で同じ要領で行なうことができる。  
以上より、釣糸２１を中途で切断することなく、釣糸２１をコイルバネ４１に対して挿通した状態、或いは、挿通しない状態へと任意に変更することができる。
【０１０５】
さらにまた、コイルバネ４１を含めた釣り用仕掛け具２０Ａ自体を交換する場合には、該釣り用仕掛け具２０Ａを上述した手順で釣糸２１から分離して行なうことができるが、浮子１３Ｂのみを変更する場合には、釣り用仕掛け具２０Ａ自体を交換せずともコイルバネ４１に対して浮子１３Ｂを着脱して交換することができる。
【０１０６】
同様に、錘１４のみを変更する場合には、釣り用仕掛け具２０Ａ自体を交換せずともコイルバネ４１に対してアダプタ部４５を着脱して交換することができる。
【０１０７】
第２Ａ実施形態における釣り用仕掛け具２０Ａは、上述した構成に限らず、他の実施形態で形成することができる。  
例えば、アダプタ部４５に浮子１３Ｂの機能をもたせて構成してもよい。この構成の場合、浮子１３Ｂとアダプタ部４５とを、別々にコイルバネ４１に取り付けた上述した構成に限らず、浮子１３Ｂの機能を有したアダプタ部４５のみを備えたシンプルな構成とすることができる。
【０１０８】
また、コイルバネ４１には、該コイルバネ４１を補強する補強杆を備えてもよい（図示せず）。  
詳しくは、補強杆は、コイルバネ４１を、直線状に形状にガイドするためのガイド部材として構成することができ、例えば、コイルバネ４１の長さ方向に沿って備えることでコイルバネ４１が不測に変形しないよう直線状に保持することができる。さらに、補強杆は、コイルバネ４１に対して係合するなどして着脱可能に装着する装着部を備えた構成であってもよい（図示せず）。
【０１０９】
（第３Ａ実施形態）  
第３Ａ実施形態における釣り用仕掛け具３０Ａは、基端部３１と後端部３２との間に、主杆パイプ１１やコイルバネ４１を配しておらず、図９（ａ），（ｂ），（ｃ）に示すように、主連結杆６０を配した構成であり、さらに、基端部３１と後端部３２との各部に、短尺状コイルバネ６１を備えた構成である。  
なお、図９（ｂ），（ｃ）は、それぞれ図９（ａ）中のＡ−Ａ線拡大断面図、Ｂ−Ｂ線拡大断面図である。
【０１１０】
詳しくは、主連結杆６０は、ステンレス製であり、直線状の細長い棒状体（中実パイプ）で形成している。
【０１１１】
短尺状コイルバネ６１は、基端部３１に取り付けた基端側短尺状コイルバネ６１Ａと、後端部３２に取り付けた後端側短尺状コイルバネ６１Ｂとの２つを備え、それぞれが主連結杆６０に取り付けられている。
【０１１２】
短尺状コイルバネ６１は、上述したコイルバネ４１を構成するバネ用線材４２より全長が短尺であるバネ用線材６２から成り、該短尺状コイルバネ６１は、螺旋状に巻いたコイルバネ本体部６１ａと主連結杆６０に取り付けるための杆取付け部６１ｂとで構成している。
【０１１３】
コイルバネ本体部６１ａは、バネ用線材６２を例えば、３から４の少ない巻数で短尺に構成している。
【０１１４】
杆取付け部６１ｂは、コイルバネ本体部６１ａの長さ方向の端部側から主連結杆６０に伸ばして巻き付けた主連結杆６０に対する巻き付け部分としてバネ用線材６２によって構成している。
【０１１５】
また、基端側短尺状コイルバネ６１Ａは、その杆取付け部６１ｂを、基端部３１においてゴムチューブ１５の内部に主連結杆６０ごと挿着することで、主連結杆６０に対して一体に結合している（図９（ｃ）参照）。
【０１１６】
一方、後端側短尺状コイルバネ６１Ｂは、基端側短尺状コイルバネ６１Ａと同様に、その杆取付け部６１ｂを、後端部３２においてゴムチューブ１６の内部に主連結杆６０ごと挿着することで、主連結杆６０に対して一体に結合している。
【０１１７】
このとき、基端側短尺状コイルバネ６１Ａと後端側短尺状コイルバネ６１Ｂとは、それぞれコイルバネ本体部６１ａの軸方向が主連結杆６０の周方向において互いに一致する相対位置となるよう主連結杆６０に結合している。
【０１１８】
また、図９（ｂ）に示すように、浮子１３Ｃは、その長軸方向中心軸に主連結杆６０の挿通を許容する主連結杆挿通孔６３を形成し、主連結杆６０の基端部３１近傍において主連結杆６０を、主連結杆挿通孔６３に挿通した状態で一体に固着されている。
【０１１９】
さらに、浮子１３Ｃは、釣糸２１を、基端側短尺状コイルバネ６１Ａと後端側短尺状コイルバネ６１Ｂとの間に配したとき、該釣糸２１が干渉しないよう周方向の上端部を主連結杆挿通孔６３に向けて切り欠いた逃げ溝６４を形成している。
【０１２０】
上記構成により、釣り用仕掛け具３０Ａは、釣糸２１（道糸２１ａ）を、基端側短尺状コイルバネ６１Ａと後端側短尺状コイルバネ６１Ｂとの間に、それぞれのコイルバネ本体部６１ａに挿入した状態で主連結杆６０に沿って配することができる。
【０１２１】
さらに、釣り用仕掛け具３０Ａは、基端部３１と後端部３２とのそれぞれに巻数が３から４の少ない短尺状コイルバネ６１を備えた構成であるため、第２Ａ実施形態の釣り用仕掛け具２０Ａの場合と同様の手順により（図８参照）、コイルバネ本体部６１ａに挿通された状態の釣糸２１の中途部分を、螺旋状に巻いたバネ用線材の一端部に係合した状態で、例えば、３回から４回程度、コイルバネ本体部６１ａの螺旋形状に沿って釣糸２１の係合部分を回すなどするだけで、釣糸２１とコイルバネ本体部６１ａとを分離して取り外すことができる。
【０１２２】
従って、釣り用仕掛け具３０Ａは、釣糸２１に対する着脱に要する手間を大幅に省くことができ、釣り場においても使い勝手に優れた釣具用天秤として用いることができる。
【０１２３】
さらに、浮子１３Ｃに逃げ溝６４を形成することにより、釣糸２１は、基端側短尺状コイルバネ６１Ａと後端側短尺状コイルバネ６１Ｂとに取り付けた状態で、主連結杆６０に沿って配したとき、浮子１３Ｃに相当する部分では、逃げ溝６４に配されるため、浮子１３Ｃに干渉することなく、主連結杆６０に沿って真直ぐに配することができる。
【０１２４】
しかも、浮子１３Ｃに逃げ溝６４を形成することにより、釣糸２１が浮子１３Ｃに干渉するおそれがないため、基端部３１と後端部３２との間に配した釣糸２１を主連結杆６０の側に接近させた状態で主連結杆６０に沿って配することができる。
【０１２５】
これにより、釣り用仕掛け具３０Ａは、その重心（特に主連結杆６０の重心）が、該主連結杆６０に沿って配した釣糸２１の側に偏心することなく、主連結杆６０と、該主連結杆６０に沿って配した釣糸２１との一体性を高めた状態で釣糸２１に対して取り付けることができる。
【０１２６】
よって、釣り用仕掛け具３０Ａは、例えば、水流を受けて揺動した場合、或いは、釣糸２１の先端側で引き（あたり）があった場合など如何なる場合でも安定した姿勢に保つことができる。
【０１２７】
なお、第３Ａ実施形態における釣り用仕掛け具３０Ａは、例えば、短尺状コイルバネ６１を基端部３１と後端部３２との間に断片的に２以外の数で備えるなど、上述した構成に限定せず様々な実施形態で構成することができる。
【０１２８】
（第４Ａ実施形態）  
第４Ａ実施形態における釣り用仕掛け具４０Ａは、上述したような主杆パイプ１１やコイルバネ４１を備えず、図１０（ａ），（ｂ）に示すように、Ｌ型連結杆５０を備えた構成である。
【０１２９】
Ｌ型連結杆５０は、第２連結杆５１と第３連結杆５２とをそれぞれの端部同士が揺動支端部３３において一体に結合され、全体としてＬ字型に形成している。第２連結杆５１は、基端部３１と揺動支端部３３との間に配し、第３連結杆５２は、後端部３２と揺動支端部３３との間に配している。
【０１３０】
揺動支端部３３においては、錘１４が連結され、基端部３１近傍の第２連結杆５１には、浮子１３が固着されている。
【０１３１】
第２連結杆５１の基端部３１には、釣糸挿通部５１ａが形成され、第３連結杆５２の後端部３２には、釣糸挿通部５２ａが形成されている。釣糸挿通部５１ａ，５２ａは、いずれも釣糸２１の挿通を許容し、且つ、スイベル２２の挿通を許容しない大きさの環状形態で構成している。
【０１３２】
第２連結杆５１の基端部３１の釣糸挿通部５１ａは、釣竿側から伸びる道糸２１ａが挿通され、第３連結杆５２の後端部３２の釣糸挿通部５２ａは、疑似餌２４側へ伸びるハリス２１ｂが挿通されている。
【０１３３】
道糸２１ａとハリス２１ｂは、基端部３１と後端部３２との間においてスイベル２２を介して一体に接続されている。
【０１３４】
上記構成の釣り用仕掛け具４０Ａも、基端部３１近傍に備えた浮子１３が水流を受けることにより、揺動が発生し、Ｌ型連結杆５０を揺動させることができる。
Ｌ型連結杆５０の揺動支端部３３に錘１４を備えているため、Ｌ型連結杆５０は、揺動支端部３３を支点として揺動する。
【０１３５】
このとき、Ｌ型連結杆５０は、揺動支端部３３を支点として後端部３２において大きく横方向に振れるため、基端部３１近傍の小さな揺動を、Ｌ型連結杆５０を介して後端部３２に揺動幅を拡大してに伝えることができ、後端部３２は、揺動支端部３３を支点として積極的に揺動することができる。
【０１３６】
よって、釣り用仕掛け具４０Ａは、第１Ａ実施形態の釣り用仕掛け具１０Ａが奏する効果に加えて、以下の効果を奏することができる。
【０１３７】
上記基端部３１と上記後端部３２との端部間には、主杆パイプ１１やコイルバネ４１を備えずに、釣糸２１と、該釣糸２１に接続したスイベル２２とのみを配しているため、釣糸２１の先端側で食い付いた引き（あたり）は、先端側へ引張られたスイベル２２が第３連結杆５２の釣糸挿通部５２ａの縁部に当接することで釣竿側へダイレクトに伝えることができる。
【０１３８】
次に、釣具を、ルアーとして構成した場合の実施形態について説明する。但し、以下で説明するルアー１０Ｂ，２０Ｂ，３０Ｂ，３１Ｂ，４０Ｂ，４１Ｂにおいても、上述した実施形態における釣り用仕掛け具１０Ａ，２０Ａ，３０Ａ，４０Ａと同様の構成については、同一の符号を付して、その説明を省略する。
【０１３９】
（第１Ｂ実施形態）  
図１１（ａ），（ｂ）に示すように、第１Ｂ実施形態におけるルアー１０Ｂは、基端部３１と後端部３２との間に、主軸杆１１Ｂを備えている。主軸杆１１Ｂは、ステンレス製の細長い直線状の針金（中実パイプ）で構成している。なお、図１１（ａ）は、第１Ｂ実施形態におけるルアー１０Ｂの正面図であり、図１１（ｂ）は、第１Ｂ実施形態におけるルアー１０Ｂの右側面図である。
【０１４０】
上記基端部３１には、釣竿側から伸びる道糸（釣糸）を取り付ける釣糸取付け部１１Ｂａを形成し、上記後端部３２には、フック２６を取り付ける釣り針取付け部１１Ｂｂを形成している。
【０１４１】
上記釣糸取付け部１１Ｂａは、主軸杆１１Ｂの長さ方向の前端を円環状に加工した部分であるとともに、上記後端部３２には、主軸杆１１Ｂの長さ方向の後端を円環状に加工した部分である。
【０１４２】
上記釣糸取付け部１１Ｂａには、釣竿側から延びる釣糸２１ａを、スイベル２２を介して取り付けられる（図２参照）。
【０１４３】
上記釣り針取付け部１１Ｂｂには、フック２６の基部を取り付けている（図２参照）。フック２６は、針先が１つであるＪの字型の反り返り形状で形成し、先端部に進むに連れ、主軸杆１１Ｂに対して湾曲しながら前方側へ突出するよう、環状に形成した釣糸取付け部１１Ｂａに取り付けている。
【０１４４】
なお、フックは、針先が１つに限らず、２以上の数で分岐した例えば、ダブルフック、シングルフックのものを用いることができる。
【０１４５】
上記主軸杆１１Ｂにおける基端部３１の後方側近傍には、浮子１３１Ｂが固着されている。  
上記浮子１３１Ｂは、ミノーやクランクベイトといったハードルアーと同様に魚の形状をした流線形状、且つ、光沢感のある色彩とした外観で形成している。
【０１４６】
なお、ルアー１０Ｂは、浮子１３１Ｂや主軸杆１１Ｂに、ラバースカートを装着してもよく、全体のボリューム感を出したり、釣糸を目立たなく構成してもよい。
【０１４７】
上記構成のルアー１０Ｂは、水中において牽引すると、水圧を受けながら水中を進行する。このとき、揺動支端部３３に有する錘１４自体は質量が大きいため、水圧を受けても殆ど揺動しない一方で、浮子１３１Ｂは、軽量であるため、水圧を受けると、図１２に示すように、錘１４を支点として積極的に揺動し、餌としての小魚等に擬似したルアー本体として機能する。
【０１４８】
従って、ルアー１０Ｂは、水中で牽引することにより、浮子１３１Ｂを小魚などが積極的に遊泳しているように動かすことができ、周囲の魚等を惹き寄せることができる。
【０１４９】
（第２Ｂ実施形態）  
図１３（ａ），（ｂ），（ｃ）に示すように、第２Ｂ実施形態のルアー２０Ｂは、第１Ｂ実施形態のルアー１０Ｂの構成において浮子１３２Ｂを主軸杆１１Ｂの長さ方向に沿ってスライド自在に、且つ、主軸杆１１Ｂの軸周りに回転自在に構成したものである。  
なお、図１３（ａ）は、第１Ｂ実施形態におけるルアー２０Ｂの正面図であり、図１３（ｂ）は、第１Ｂ実施形態におけるルアー２０Ｂの右側面図である。図１３（ｃ）は、一部省略して示した図１３（ａ）中のＡ−Ａ線断面図である。
【０１５０】
詳しくは、上記ルアー２０Ｂは、上記基端部３１を、第１基端部３１ａと第２基端部３１ｂとで構成するとともに、上記第２基端部３１ｂを、上記第１基端部３１ｂと上記後端部３２との２点を通る仮想直線上における上記第１基端部３１ａよりも前方側に配置した構成である。
【０１５１】
主軸杆１１Ｂは、上記第２基端部３１ｂと上記後端部３２との端部間を結ぶ直線状の針金で構成している。第１基端部３１ａは、浮子１３２Ｂとともに、一体に主軸杆１１Ｂをスライドするゴムチューブで構成し、上記第２基端部３１ｂは、主軸杆１１Ｂの長さ方向の前端に円環状に形成した上記釣糸取付け部１１Ｂａとして構成している。
【０１５２】
具体的には、上記第１基端部３１ａの後方側近傍に上記浮子１３２Ｂを備え、該浮子１３２Ｂは、中心軸方向に沿って貫通した貫通孔１３５Ｈが形成され、貫通孔１３５Ｈに上記主軸杆１１Ｂを挿通することで、上記浮子１３２Ｂは、上記主軸杆１１Ｂの長さ方向に沿ってスライド自在に、且つ、上記主軸杆１１Ｂの軸周りに回転自在に上記主軸杆１１Ｂに対して取り付いている。
【０１５３】
第１基端部３１は、上述したように、ゴムチューブで形成し、小魚の形状に形成した浮子１３２Ｂの先端部分に一体に取り付けられ、浮子１３２Ｂとともに主軸杆１１Ｂに挿通された状態で、上記主軸杆１１Ｂの長さ方向に沿ってスライド自在に、且つ、上記主軸杆１１Ｂの軸周りに回転自在に構成している。
【０１５４】
上記弾性線材１２は、上記第１基端部３１と上記揺動支端部３３との端部間を結ぶ線材で構成され、該弾性線材１２の基端を第１基端部３１であるゴムチューブに固着し、浮子１３２Ｂとともに上記主軸杆１１Ｂの長さ方向に沿ってスライド自在に、且つ、上記主軸杆１１Ｂの軸周りに回転自在に構成している。
【０１５５】
上記構成のルアー２０Ｂは、上述したように、浮子１３２Ｂを、上記主軸杆１１Ｂの長さ方向に沿ってスライド自在に、且つ、上記主軸杆１１Ｂの軸周りに回転自在に構成している。
【０１５６】
これにより、ルアー２０Ｂを水中で牽引すると、浮子１３２Ｂは、水圧を受けながら進行するが、その際、水中での流れやうねり等の水圧の変化により、図１４（ａ）に示すように、上記主軸杆１１Ｂの長さ方向に沿って積極的にスライドしたり、上記主軸杆１１Ｂの軸周りに回転する。
【０１５７】
よって、浮子１３２Ｂは、第１Ｂ実施形態のルアー１０Ｂに備えた浮子１３２Ｂのように、揺動支端部３３を支点として揺動する動きに対して、上記主軸杆１１Ｂの長さ方向に沿って積極的にスライドしたり、上記主軸杆１１Ｂの軸周りに回転する動きが加わることで、図１４（ｂ）に示すように、揺動の振幅や周期が複雑に変動し、より巧妙に餌となる小魚が活発に遊泳している動きを実現でき、周囲の魚等を積極的に惹き寄せることができる。
【０１５８】
（第３Ｂ実施形態）  
図１５（ａ），（ｂ）に示すように、第３Ｂ実施形態におけるルアー３０Ｂは、第１Ｂ実施形態の釣具ルアー１０Ｂにおいて、上記浮子１３３Ｂの近傍に抵抗板１５１Ｂを備えた構成である。  
なお、図１５（ａ）は、第３Ｂ実施形態におけるルアー３０Ｂの正面図であり、図１５（ｂ）は、第３Ｂ実施形態におけるルアー３０Ｂの右側面図である。
【０１５９】
詳しくは、ルアー３０Ｂは、上記浮子１３３Ｂを、浮子本体１４１Ｂと該浮子本体１４１Ｂから外側へ突出した抵抗板１５１Ｂとで形成している。
【０１６０】
抵抗板１５１Ｂは、浮子本体１４１Ｂと同じ樹脂製であるとともに、浮子本体１４１Ｂの前方部分の下部に、浮子本体１４１Ｂに対して例えば、前方斜め３０度から４５度程度の突出角度で突出した板状に形成している。
【０１６１】
上記構成によれば、水中でルアー３０Ｂを牽引することで、抵抗板１５１Ｂが水圧をダイレクトに受けるため、浮子１３３Ｂを、抵抗板１５１Ｂを備えていない浮子１３３Ｂと比較してより積極的に揺動することができ、水中に水流やうねりがなくても、揺動して、周囲の魚等を積極的に惹き寄せることができる。
【０１６２】
特に、本実施形態のルアー３０Ｂのように、抵抗板１５１Ｂを浮子１３３Ｂに備えることで、ルアー３０Ｂを牽引中に抵抗板１５１Ｂが抵抗を受けたとき、主に、浮子１３３Ｂが左右に揺動する動きを示すバイブレーション効果（ウォブリング効果）を得ることができる。
【０１６３】
このバイブレーション効果により、餌となる小魚等が活発に遊泳している動きを醸し出すことができ、周囲の魚等を積極的に惹き寄せることができる。
【０１６４】
なお、図１５（ｃ），（ｄ）に示すように、ルアー３１Ｂは、第２Ｂ実施形態の釣具ルアー２０Ｂにおいて、上記浮子１３２Ｂの近傍に抵抗板１５１Ｂを備えた構成であってもよい。すなわち、上記浮子１３４Ｂを、浮子本体１４１Ｂと抵抗板１５１Ｂとで形成している。
【０１６５】
その他にも、上記抵抗板１５１Ｂは、浮子１３３Ｂ，１３４Ｂの一部として浮子本体１４１Ｂと一体に構成するに限らず、弾性線材１２の基端に固着するなど、上記浮子１３３Ｂの近傍に備えた構成であってもよい（図示せず）。
【０１６６】
（第４Ｂ実施形態）  
図１６（ａ），（ｂ）に示すように、第４Ｂ実施形態におけるルアー４０Ｂは、第１Ｂ実施形態のルアー１０Ｂにおいて、上記錘１４の近傍に抵抗板１５２Ｂを備えた構成である。  
なお、図１６（ａ）は、第４Ｂ実施形態におけるルアー４０Ｂの正面図であり、図１６（ｂ）は、第４Ｂ実施形態におけるルアー４０Ｂの右側面図である。
【０１６７】
詳しくは、抵抗板１５２Ｂは、抵抗板本体１５２と、基端に形成した係着部１５３とで構成し、係着部１５３を弾性線材１２における上記錘１４の近傍に係着している。
【０１６８】
抵抗板１５２Ｂは、抵抗板本体１５２がルアー４０Ｂの進行方向（前後方向）に対して略垂直、或いは、前屈みに起立した姿勢となるよう弾性線材１２に係着されている。
【０１６９】
上記構成により、抵抗板１５２Ｂは水圧をダイレクトに受けることができるため、水中でのルアー４０Ｂの牽引により、抵抗板１５２Ｂが水圧を受けて、抵抗板１５２Ｂの近傍の揺動支端部３３に有する錘１４が積極的に揺動することになる。この錘１４の揺動が弾性線材１２を介して浮子１３３Ｂに伝わり、しかも、弾性線材１２の揺動支端部３３側から基端部３１側へその揺動が増幅され、浮子１３３Ｂは左右に大きく揺動することになる。
【０１７０】
よって、特に、抵抗板１５２Ｂを錘１４の近傍に備えることで、ルアー４０Ｂを牽引中に抵抗板１５２Ｂが抵抗を受けることにより、主に、ルアー４０Ｂを正面視した状態において揺動支端部３３に対して浮子１３３Ｂが左右にローリングしながら揺動する動きを示すローリング効果を得ることができる（図示せず）。
【０１７１】
このローリング効果により、餌となる小魚等が活発に遊泳している動きを醸し出すことができ、周囲の魚等を積極的に惹き寄せることができる。
【０１７２】
本発明は、上述した実施形態に限定せず、様々な実施形態で構成することができる。  
例えば、ルアー４１Ｂは、図１６（ｃ），（ｄ）に示すように、錘１４Ｂを板状とし、錘自体を抵抗板としての機能を有する構成としてもよい。
【０１７３】
また、抵抗板は、浮子１３３Ｂ、及び、錘の双方の側に備えてもよい（図示せず）。
【０１７４】
さらにまた、抵抗板は、弾性線材１２に取り付けて構成してもよく、この場合、弾性線材１２の長さ方向において、取り付け位置を変更可能な構成であってもよい。
【０１７５】
また、例えば、図１１に示した第１Ｂ実施形態のルアー１０Ｂでは、主軸杆１１Ｂの後端部３２の釣針取付け部１１Ｂｂを環状に形成し、該環状部分と、フック２６の基部に形成した環状部分とを係合して連結した構成であるが、この構成に限定しない。
【０１７６】
詳しくは、図示しないが、主軸杆１１Ｂの後端部３２の釣針取付け部１１Ｂｂを環状部分ではなく棒状に形成し、該棒状の釣針取付け部１１Ｂｂに対してフック２６の基部を例えば、紐で巻き付けるなどして一体に取り付けた構成であってもよい。或いは、主軸杆１１Ｂの後端部分をフック形状になるよう加工し、主軸杆１１Ｂとフック２６とが一体化した構成であってもよい。
【０１７７】
この発明の構成と、上述した実施形態との対応において、釣具は、釣り用仕掛け具１０Ａ，２０Ａ，３０Ａ，４０Ａ、及び、ルアー１０Ｂ，２０Ｂ，３０Ｂ，３１Ｂ，４０Ｂ，４１Ｂに対応し、
第１連結杆は、主杆パイプ１１、短尺状コイルバネ６１を備えた主連結杆６０、及び、主軸杆１１Ｂ、に対応し、
第２連結杆は、弾性線材１２、及び、第２連結杆５１に対応し、
釣針は、フック２６に対応し、
結合手段は、アダプタ部４５に対応し、
後端部と揺動支端部との端部間に備えた連結杆は、第３連結杆５２に対応するものとする。
【符号の説明】
【０１７８】
１０Ａ，２０Ａ，３０Ａ，４０Ａ…釣り用仕掛け具
１０Ｂ，２０Ｂ，３０Ｂ，３１Ｂ，４０Ｂ，４１Ｂ…ルアー
１１…主杆パイプ
１１Ｂ…主軸杆
１１Ｂａ…釣糸取付け部
１１Ｂｂ…釣り針取付け部
１２…弾性線材
１３，１３Ｂ，１３Ｃ，１３１Ｂ，１３２Ｂ，１３３Ｂ…浮子
１４…錘
２１…釣糸
２１ａ…道糸
２１ｂ…ハリス
２２…スイベル
２６…フック
３１…基端部
３１ａ…第１基端部
３１ｂ…第２基端部
３２…後端部
３３…揺動支端部
４１…コイルバネ
４５…アダプタ部
５１…第２連結杆
５２…第３連結杆
６０…主連結杆
６１…短尺状コイルバネ
１５１Ｂ，１５２Ｂ…抵抗板
【図１】
2011172557.tif 000003
【図２】
2011172557.tif 000004
【図３】
2011172557.tif 000005
【図４】
2011172557.tif 000006
【図５】
2011172557.tif 000007
【図６】
2011172557.tif 000008
【図７】
2011172557.tif 000009
【図８】
2011172557.tif 000010
【図９】
2011172557.tif 000011
【図１０】
2011172557.tif 000012
【図１１】
2011172557.tif 000013
【図１２】
2011172557.tif 000014
【図１３】
2011172557.tif 000015
【図１４】
2011172557.tif 000016
【図１５】
2011172557.tif 000017
【図１６】
2011172557.tif 000018